(57)【要約】  本発明は、高圧工程から低圧工程に移行する際に発生するエアレーションによるエロージョン（壊食）や騒音を低減し、かつ回転効率を高めることができることを目的とする。そのため、弁板７に設けられ、上死点側のシリンダボア２５が弁板吸込ポートＰＢ１に連通するまでの間に連通する残圧捨てポート３０と、上死点側のシリンダボア２５が弁板吸込ポートＰＢ１に連通するまでの間における上死点側のシリンダボア２５内の残圧の値を実測によって求める残圧検出ポート４０及び残圧ポート４１と、残圧検出ポート４０が求めた残圧の値をもとに、残圧捨てポート３０と作動油タンクＴとの間の流路と、残圧捨てポート３０と弁板吸込ポートＰＢ１との間の流路との切換及び流路遮断を行う方向切換弁Ｖ１０と、を備える。
2016021072.tif 000002
【特許請求の範囲】
【請求項１】
回転軸まわりに複数のシリンダボアが形成されたシリンダブロックが、高圧側ポートと低圧側ポートとを有した弁板に対して摺動し、斜板の傾斜によって各シリンダボア内のピストンの往復動の量を制御するアキシャル型の油圧ポンプ・モータであって、
前記弁板に設けられ、上死点側シリンダボアが前記低圧側ポートに連通するまでの間に連通する残圧捨てポートと、
前記上死点側シリンダボアが前記低圧側ポートに連通するまでの間における前記上死点側シリンダボア内の残圧の値を実測あるいは推定によって求める残圧取得部と、
前記残圧取得部が求めた残圧の値をもとに、前記残圧捨てポートと作動油タンクとの間の流路と、前記残圧捨てポートと前記低圧側ポートとの間の流路との切換及び流路遮断を行う方向切換弁と、
を備えたことを特徴とする油圧ポンプ・モータ。
【請求項２】
前記方向切換弁は、流量調整機構を有することを特徴とする請求項１に記載の油圧ポンプ・モータ。
【請求項３】
前記残圧取得部は、
前記シリンダブロックに設けられ、前記シリンダブロックと前記弁板との摺動面であって前記シリンダボアの回転移動領域外に開口を有し、前記シリンダボア内に連通する残圧ポートと、
前記弁板に設けられ、前記シリンダブロックの回転に伴って前記残圧ポートの開口を介して前記残圧ポートと一時的に連通して前記上死点側シリンダボア内の残圧を検出して保持する残圧検出ポートと、
を備え、
前記方向切換弁は、前記残圧検出ポートが保持する残圧を制御信号圧として流路切換及び流路遮断を行うことを特徴とする請求項１または２に記載の油圧ポンプ・モータ。
【請求項４】
前記方向切換弁は、前記弁板内に一体形成されることを特徴とする請求項３に記載の油圧ポンプ・モータ。
【請求項５】
前記残圧取得部は、斜板角、回転速度、吐出圧、作動油温度のうちの１以上の値を検出する検出部、及び、該１以上の値をもとに前記上死点側シリンダボア内の残圧を推定し、該推定した残圧をもとに前記方向切換弁の制御信号圧を生成するコントローラであることを特徴とする請求項１または２に記載の油圧ポンプ・モータ。
【請求項６】
前記方向切換弁は、前記残圧の値が第１所定値よりも大きい場合、前記残圧捨てポートと作動油タンクとの間を連通させ、前記残圧の値が前記第１所定値と該第１所定値よりも小さい第２所定値との間である場合、前記残圧捨てポートと作動油タンクとの間及び前記残圧捨てポートと前記低圧側ポートとの間を遮断し、前記残圧の値が前記第２所定値よりも小さい場合、前記残圧捨てポートと前記低圧側ポートとの間を連通させることを特徴とする請求項１〜５のいずれか一つに記載の油圧ポンプ・モータ。
【発明の詳細な説明】
【技術分野】
【０００１】
本発明は、高圧工程から低圧工程に移行する際に発生するエアレーションによるエロージョン（壊食）や騒音を低減し、かつ回転効率を高めることができるアキシャル型の油圧ポンプ・モータ（油圧ポンプまたは油圧モータ）に関するものである。
【背景技術】
【０００２】
従来から、建設機械などでは、エンジンによって駆動されるアキシャル型の油圧ピストンポンプや高圧の作動油によって駆動されるアキシャル型の油圧ピストンモータが多用されている。【０００３】
たとえば、アキシャル型の油圧ピストンポンプは、ケース内に回転自在に設けられた回転軸と一体に回転するように設けられ、周方向に離間して軸方向に伸長する複数のシリンダが形成されたシリンダブロックと、このシリンダブロックの各シリンダ内に摺動可能に挿嵌され、このシリンダブロックの回転に伴って軸方向に移動して作動油を吸込・吐出する複数のピストンと、ケースとシリンダブロック端面との間に設けられ、各シリンダと連通する吸込ポートと吐出ポートとが形成された弁板とを有している。そして、この油圧ポンプは、駆動軸が回転駆動すると、ケース内で作動軸とともにシリンダブロックが回転し、シリンダブロックの各シリンダでピストンが往復動する。吸込ポートからシリンダ内に吸い込まれた作動油は、ピストンによって加圧され吐出ポートから高圧の作動油として吐出される。【０００４】
ここで、各シリンダのシリンダポートが弁板の吸込ポートと連通するとき、吸込ポートの始端から終端にかけてピストンがシリンダから突出する方向に移動して吸込ポートからシリンダ内に作動油を吸い込む吸込工程が行われる。一方、各シリンダのシリンダポートが吐出ポートと連通するとき、吐出ポートの始端から終端にかけてピストンがシリンダ内に進入する方向に移動してシリンダ内の作動油を吐出ポート内に吐出する吐出工程が行われる。そして、吸込工程および吐出工程を繰り返すようにシリンダブロックを回転することによって、吸込工程で吸込ポートからシリンダ内に吸い込んだ作動油を、吐出工程で加圧して吐出ポートに吐出するようにしている。
【先行技術文献】
【特許文献】
【０００５】
【特許文献１】特開２０００−６４９５０号公報
【発明の概要】
【発明が解決しようとする課題】
【０００６】
ところで、上述した従来の油圧ポンプなどでは、吐出工程で弁板の吐出ポートを介して作動油を吐出したシリンダ内は、高圧となっている。各シリンダのシリンダポートが吸込ポートと連通するとき、このシリンダ内で高圧となった作動油は低圧の吸込ポート内に急激に流入して大きな圧力変動を生じる。この結果、吸込ポート内の作動油中に、空気が細かい気泡の状態で混じるエアレーションが発生する。このエアレーションは、エロージョンや騒音を発生させ、効率も低下させる。【０００７】
このため、例えば特許文献１では、残圧抜き穴を設け、吐出工程から吸込工程に移行する際、シリンダ内で高圧となっている作動油を吸込ポートに戻すようにしている。これによって、吐出工程から吸込工程への作動油変化が緩やかになり、シリンダポートが吸込ポートに連通する際、シリンダ内の作動油圧力と吸込ポートの作動油圧力とが同じになるようにしている。【０００８】
しかし、この残圧抜き穴は、吸込ポートに直結している。この場合、残圧抜き穴を介してシリンダ内から抜けた作動油にはエアレーションが発生している。そして、このエアレーションが発生した作動油はそのまま吸込ポートに戻ってしまう。このため、エアレーションによるエロージョンや騒音が発生することになる。【０００９】
一方、吐出工程から吸込工程に移行する際、シリンダ内の残圧が高い場合は、シリンダブロックの回転をアシストすることになり、回転効率が向上する。また、シリンダ内の残圧が回転に伴って低くなってしまう場合、吸込ポートからシリンダ内に作動油を吸入して吸込ポートの作動油圧力と同じになるようにしてシリンダ内のエロージョンを抑止するとともに回転効率を向上させる必要がある。【００１０】
しかしながら、このような精度の高いシリンダ内の残圧制御をしようとする場合、シリンダ内の残圧を精度良く取得する必要がある。【００１１】
本発明は、上記に鑑みてなされたものであって、高圧工程から低圧工程に移行する際に発生するエアレーションによるエロージョンや騒音を低減し、かつ回転効率を高めることができるアキシャル型の油圧ポンプ・モータを提供することを目的とする。
【課題を解決するための手段】
【００１２】
上述した課題を解決し、目的を達成するために、本発明にかかる油圧ポンプ・モータは、回転軸まわりに複数のシリンダボアが形成されたシリンダブロックが、高圧側ポートと低圧側ポートとを有した弁板に対して摺動し、斜板の傾斜によって各シリンダボア内のピストンの往復動の量を制御するアキシャル型の油圧ポンプ・モータであって、前記弁板に設けられ、上死点側シリンダボアが前記低圧側ポートに連通するまでの間に連通する残圧捨てポートと、前記上死点側シリンダボアが前記低圧側ポートに連通するまでの間における前記上死点側シリンダボア内の残圧の値を実測あるいは推定によって求める残圧取得部と、前記残圧取得部が求めた残圧の値をもとに、前記残圧捨てポートと作動油タンクとの間の流路と、前記残圧捨てポートと前記低圧側ポートとの間の流路との切換及び流路遮断を行う方向切換弁と、を備えたことを特徴とする。【００１３】
また、本発明にかかる油圧ポンプ・モータは、上記の発明において、前記方向切換弁は、流量調整機構を有することを特徴とする。【００１４】
また、本発明にかかる油圧ポンプ・モータは、上記の発明において、前記残圧取得部は、前記シリンダブロックに設けられ、前記シリンダブロックと前記弁板との摺動面であって前記シリンダボアの回転移動領域外に開口を有し、前記シリンダボア内に連通する残圧ポートと、前記弁板に設けられ、前記シリンダブロックの回転に伴って前記残圧ポートの開口を介して前記残圧ポートと一時的に連通して前記上死点側シリンダボア内の残圧を検出して保持する残圧検出ポートと、を備え、前記方向切換弁は、前記残圧検出ポートが保持する残圧を制御信号圧として流路切換及び流路遮断を行うことを特徴とする。【００１５】
また、本発明にかかる油圧ポンプ・モータは、上記の発明において、前記方向切換弁は、前記弁板内に一体形成されることを特徴とする。【００１６】
また、本発明にかかる油圧ポンプ・モータは、上記の発明において、前記残圧取得部は、斜板角、回転速度、吐出圧、作動油温度のうちの１以上の値を検出する検出部、及び、該１以上の値をもとに前記上死点側シリンダボア内の残圧を推定し、該推定した残圧をもとに前記方向切換弁の制御信号圧を生成するコントローラであることを特徴とする。【００１７】
また、本発明にかかる油圧ポンプ・モータは、上記の発明において、前記方向切換弁は、前記残圧の値が第１所定値よりも大きい場合、前記残圧捨てポートと作動油タンクとの間を連通させ、前記残圧の値が前記第１所定値と該第１所定値よりも小さい第２所定値との間である場合、前記残圧捨てポートと作動油タンクとの間及び前記残圧捨てポートと前記低圧側ポートとの間を遮断し、前記残圧の値が前記第２所定値よりも小さい場合、前記残圧捨てポートと前記低圧側ポートとの間を連通させることを特徴とする。
【発明の効果】
【００１８】
本発明によれば、弁板に設けられ、上死点側シリンダボアが低圧側ポートに連通するまでの間に連通する残圧捨てポートと、前記上死点側シリンダボアが前記低圧側ポートに連通するまでの間における前記上死点側シリンダボア内の残圧の値を実測あるいは推定によって求める残圧取得部と、を備え、方向切換弁が、前記残圧取得部が求めた残圧の値をもとに、前記残圧捨てポートと作動油タンクとの間の流路と、前記残圧捨てポートと前記低圧側ポートとの間の流路との切換及び流路遮断を行うようにしている。残圧取得部は、精度の高い残圧を取得しているので、高圧工程から低圧工程に移行する際に発生するエアレーションによるエロージョン（壊食）や騒音を低減し、かつ回転効率を高めることができる。
【図面の簡単な説明】
【００１９】
【図１】図１は、本発明の実施の形態１にかかる油圧ポンプの概要構成を示す断面図である。
【図２】図２は、図１に示した油圧ポンプのＡ−Ａ線断面図である。
【図３】図３は、図１に示した油圧ポンプのＢ−Ｂ線断面及び油圧ポンプに接続される作動油タンクの断面を示す図である。
【図４】図４は、シリンダブロックにおける弁板との摺動面を−Ｘ方向にみた構成を示す図である。
【図５】図５は、図３に示した方向切換弁のスプールストロークと開口面積との関係を示す図である。
【図６】図６は、図３に示した方向切換弁の残圧とスプールストロークとの関係を示す図である。
【図７】図７は、本発明の実施の形態２の構成を示す模式図である。
【図８】図８は、残圧が小の場合における方向切換弁の構成を示すＤ−Ｄ線断面図である。
【図９】図９は、残圧が中の場合における方向切換弁の構成を示すＤ−Ｄ線断面図である。
【図１０】図１０は、残圧が大の場合における方向切換弁の構成を示すＤ−Ｄ線断面図である。
【図１１】図１１は、本発明の実施の形態３の構成を示す模式図である。
【図１２】図１２は、斜板角と残圧との関係を示す図である。
【図１３】図１３は、回転速度と残圧との関係を示す図である。
【図１４】図１４は、吐出圧と残圧との関係を示す図である。
【図１５】図１５は、作動油温度と残圧との関係を示す図である。
【図１６】図１６は、斜板角が最大となったときのシリンダボア内の状態を示す断面図である。
【図１７】図１７は、斜板角が最小となったときのシリンダボア内の状態を示す断面図である。
【発明を実施するための形態】
【００２０】
以下、図面を参照して、本発明を実施するための形態である油圧ポンプ・モータについて説明する。
【００２１】
（実施の形態１）
［油圧ポンプの全体構成］
図１は、本発明の実施の形態１にかかる油圧ポンプの概要構成を示す断面図である。また、図２は、図１に示した油圧ポンプのＡ−Ａ線断面図である。図１および図２に示した油圧ポンプは、シャフト１に伝達されたエンジン回転とトルクとを油圧に変換し、吸込ポートＰ１から吸い込まれた油を、高圧の作動油として吐出ポートＰ２から吐出するものである。また、この油圧ポンプは、斜板３の傾斜角ａを変化させることによってポンプからの作動油の吐出量を可変にすることができる可変容量型の油圧ポンプである。
【００２２】
以下、シャフト１の軸に沿った軸をＸ軸、斜板３が傾斜する際の支点を結ぶ線である傾斜中心軸に沿った軸をＺ軸、Ｘ軸，Ｚ軸に直交する軸をＹ軸とする。また、シャフト１の入力側端部から反対側端部に向かう方向をＸ方向とする。
【００２３】
この油圧ポンプは、ケース２およびエンドキャップ８に、ベアリング９ａ，９ｂを介して回転自在に軸支されるシャフト１と、このシャフト１にスプライン構造１１を介して連結され、ケース２およびエンドキャップ８内でシャフト１と一体に回転駆動するシリンダブロック６と、ケース２の側壁とシリンダブロック６との間に設けられる斜板３とを有する。シリンダブロック６は、シャフト１の軸を中心に周方向に等間隔かつシャフト１の軸に平行に配置された複数のピストンシリンダ（シリンダボア２５）が設けられている。複数のシリンダボア２５内にはシャフト１の軸に平行に往復動可能なピストン５が挿入されている。
【００２４】
各シリンダボア２５から突出する各ピストン５の先端には球面状の凹球が設けられる。球面状の凹部には、シュー４の球面状の凸部がはまりあい、各ピストン５と各シュー４とは球面軸受けを形成している。なお、ピストン５の球面状の凹部は、かしめられ、シュー４との離間が防止される。
【００２５】
斜板３は、シリンダブロック６を臨む側には、平坦な摺動面Ｓを有する。各シュー４は、シャフト１の回転に連動するシリンダブロック６の回動に伴って、この摺動面Ｓ上に押圧されながら円状ないし楕円状に摺動する。シャフト１の軸まわりには、シリンダブロック６のＸ方向側内周に設けられたリング１４に支持されたばね１５と、このばね１５によって押される可動リング１６およびニードル１７と、ニードル１７に当接するリング状の押圧部材１８とが設けられる。この押圧部材１８によって、シュー４が摺動面Ｓに押圧される。
【００２６】
ケース２の側壁には、斜板３側に臨んで突出した半球状の２つの軸受け２０，２１が、シャフト１の軸心を挟んで対称な位置に設けられている。一方、斜板３のケース２の側壁側には、軸受け２０，２１の配置位置に対応した部分に２つの凹球が形成される。そして、軸受け２０，２１と斜板３の２つの凹球とが当接することによって斜板３の軸受けが形成される。この軸受け２０，２１は、Ｚ軸方向に配置される。
【００２７】
斜板３は、図２に示すように軸受け２０，２１を結ぶ線を軸（Ｚ軸に平行な軸）にしてＸ−Ｙ平面に垂直な平面内で傾く。この斜板３の傾きは、ケース２の側壁側から斜板３の一端をＸ方向に沿って押圧しつつ往復動するピストン１０によって決定される。このピストン１０の往復動によって、斜板３は、軸受け２０，２１を結ぶ線を支点として傾く。この斜板３の傾きによって摺動面Ｓも傾き、シャフト１の回転に伴ってシリンダブロック６が回転する。たとえば、図１，２に示すように、Ｘ−Ｚ平面からの傾斜角がａのとき、シリンダブロックがＸ方向にみて反時計回りに回転すると、各シュー４が摺動面Ｓ上を円状もしくは楕円状に摺動し、これに伴って各シリンダボア２５内のピストン５が往復動を行う。
【００２８】
ピストン５が斜板３側に移動したときに弁板７を介して吸込ポートＰ１からシリンダボア２５内に油が吸引される。また、ピストン５が弁板７側に移動したときにシリンダボア２５内の油は弁板７を介して吐出ポートＰ２から高圧の作動油として吐出される。そして、この斜板３の傾きを調整することによって、吐出ポートＰ２から吐出される作動油の容量は可変制御される。
【００２９】
［弁板及びシリンダブロックの構成］
ここで、エンドキャップ８側に固定された弁板７と、回転するシリンダブロック６とは、摺動面Ｓａを介して接している。図３は、図１に示した油圧ポンプのＢ−Ｂ線断面図である。また、図４は、シリンダブロック６における弁板７との摺動面Ｓａを−Ｘ方向にみた構成を示す図である。図３および図４に示した弁板７の摺動面Ｓａ側の端面とシリンダブロック６の摺動面Ｓａ側の端面とは、シリンダブロック６が回転することによって互いに摺動する。
【００３０】
図３に示すように、弁板７は、吸込ポートＰ１に連通する弁板吸込ポートＰＢ１と、吐出ポートＰ２に連通する弁板吐出ポートＰＢ２とを有する。弁板吸込ポートＰＢ１と弁板吐出ポートＰＢ２とは、同一円弧上に設けられ、周方向に延びる繭形形状をなす。一方、図４に示すように、シリンダブロック６の摺動面Ｓａ側には、各ピストン５が往復動する９つのシリンダボア２５のポート（シリンダポート２５Ｐ）が、弁板吸込ポートＰＢ１および弁板吐出ポートＰＢ２が配置される同一円弧上に、等間隔で繭形形状をなして設けられる。
【００３１】
ここで、図３および図４において、シリンダブロック６が、−Ｘ方向に向かう方向にみて時計回りに回転すると、図３において、紙面上側の弁板吐出ポートＰＢ２側において吐出工程が行われ、紙面下側の弁板吸込ポートＰＢ１側において吸込工程が行われることになる。従って、この場合、図３の紙面右端側が、吐出工程から吸込工程に切り替わり、シリンダボア２５内でピストン５が摺動面Ｓａ側に最も進入した上死点となり、シリンダボア２５内は、高圧状態から低圧状態に移行する。一方、図３の紙面左端側が、吸込工程から吐出工程に切り替わり、シリンダボア２５内でピストン５が摺動面Ｓａ側から最も離れた下死点となる。この下死点をシリンダポート２５Ｐが通過する場合、低圧状態から高圧状態に移行することになる。
【００３２】
図３に示すように、弁板７には、ノッチ２６が設けられる。ノッチ２６は、弁板吐出ポートＰＢ２の下死点側の端部から下死点側に延びるように設けられる。ノッチ２６は、シリンダボア２５が弁板吐出ポートＰＢ２に連通する前の自己圧絞りとして機能する。このノッチ２６を設けることによって、シリンダボア２５と弁板吐出ポートＰＢ２とが連通する直前に、シリンダボア２５内の圧力は緩やかに弁板吐出ポートＰＢ２の圧力に近づく。この結果、シリンダボア２５と弁板吐出ポートＰＢ２との連通時におけるシリンダボア２５のエロージョンや騒音は抑止される。
【００３３】
また、図３に示すように、弁板７には、残圧捨てポート３０が設けられる。残圧捨てポート３０は、シリンダポート２５Ｐの回転移動領域Ｅ内であって、上死点近傍から弁板吸込ポートＰＢ１に至る領域に設けられる。また、残圧捨てポート３０は、シリンダボア２５が弁板吸込ポートＰＢ１に連通する前に、シリンダボア２５と連通できる位置に設けられる。
【００３４】
［残圧取得部の構成］
また、弁板７には、残圧検出ポート４０が設けられる。残圧検出ポート４０は、シリンダポート２５Ｐの回転移動領域Ｅの外側であって、上死点近傍から弁板吸込ポートＰＢ１に至る領域に設けられる。
【００３５】
一方、図４に示すように、シリンダブロック６には、シリンダボア２５と残圧検出ポート４０とを連通する残圧ポート４１が設けられる。図３に示すように、残圧ポート開口４１ａは、摺動面Ｓａ側であって、残圧検出ポート４０の半径と同じ半径をもつ円周上を回転移動するように設けられる。すなわち、シリンダブロック６の１回転に１回、残圧検出ポート４０と残圧ポート４１とが連通する。残圧検出ポート４０の摺動面Ｓａ側の開口は、シリンダポート２５Ｐの回転移動領域Ｅの外側に設けられるため、残圧検出ポート４０と残圧ポート４１とが連通しない状態では、シリンダブロック６によって閉塞される。この結果、シリンダブロック６が１回転する間、残圧検出ポート４０と残圧ポート４１とが連通したときのシリンダボア２５内の残圧を保持する。
【００３６】
なお、残圧検出ポート４０は、シリンダポート２５Ｐの回転移動領域Ｅ外に設けられればよく、回転移動領域Ｅの内側に設けてもよい。また、残圧ポート４１は、１つに限らず、例えば、シリンダボア２５の数分、設けても良い。さらに、残圧ポート４１は、１つのシリンダボア２５に対して複数設けてもよい。
【００３７】
また、残圧検出ポート４０と残圧ポート４１との連通が終了した後に、シリンダボア２５と残圧捨てポート３０とが連通するように、残圧検出ポート４０、残圧ポート４１、残圧捨てポート３０がそれぞれ配置されることが好ましい。
【００３８】
なお、上述した残圧検出ポート４０と残圧ポート４１とは、上死点近傍から、上死点側のシリンダボア２５が弁板吸込ポートＰＢ１に連通するまでの間におけるシリンダボア２５内の残圧の値を実測によって求める残圧取得部として機能する。
【００３９】
［方向切換弁］
ここで、方向切換弁Ｖ１０は、残圧捨てポート３０、残圧検出ポート４０、弁板吸込ポートＰＢ１、及び作動油タンクＴに接続される。残圧捨てポート３０は、流路Ｌ１を介して方向切換弁Ｖ１０に接続される。残圧検出ポート４０は、流路Ｌを介して方向切換弁Ｖ１０に接続される。弁板吸込ポートＰＢ１は、流路Ｌ２を介して方向切換弁Ｖ１０に接続される。作動油タンクＴは、流路Ｌ３を介して方向切換弁Ｖ１０に接続される。
【００４０】
方向切換弁Ｖ１０は、残圧検出ポート４０に保持された残圧を、スプールＳＰを動かす制御信号圧として用いる。方向切換弁Ｖ１０は、このスプールの移動によって、残圧捨てポート３０と弁板吸込ポートＰＢ１との流路と、残圧捨てポート３０と作動油タンクＴとの流路との切換を行う。
【００４１】
図５に示すように、方向切換弁Ｖ１０は、検出した残圧の増大とともにスプールストロークを増大させるようにしている。そして、方向切換弁Ｖ１０は、検出した残圧が所定値ｔｈ１よりも小さい場合（領域ａの場合）、残圧捨てポート３０と弁板吸込ポートＰＢ１との流路を開放にするとともに、残圧の減少とともに流量を減少させる流量制御も行う。このとき、残圧捨てポート３０と作動油タンクＴとの流路は遮断されている。この場合、弁板吸込ポートＰＢ１の作動油は、流路Ｌ２、流路Ｌ１、残圧捨てポート３０を介してシリンダボア２５内に流れ、シリンダボア２５内の残圧が増大する。
【００４２】
また、方向切換弁Ｖ１０は、検出した残圧が所定値ｔｈ１と所定値ｔｈ２との間である場合（領域ｂの場合）、残圧捨てポート３０と作動油タンクＴとの流路と、残圧捨てポート３０と弁板吸込ポートＰＢ１との流路は、ともに遮断される。
【００４３】
さらに、方向切換弁Ｖ１０は、検出した残圧が所定値ｔｈ２よりも大きい場合（領域ｃの場合）、残圧捨てポート３０と作動油タンクＴとの流路を開放にするとともに、残圧の増大とともに流量を増大させる流量制御も行う。このとき、残圧捨てポート３０と弁板吸込ポートＰＢ１との流路は遮断されている。この場合、シリンダボア２５内の圧縮された作動油は、残圧捨てポート３０、流路Ｌ１、流路Ｌ３を介して作動油タンクＴに流れ、シリンダボア２５内の残圧が減少する。
【００４４】
また、図６に示すように、残圧とスプールストロークとの関係は、比例関係である。
【００４５】
なお、作動油タンクＴは、作動油を水平方向の領域Ｅ１，Ｅ２に仕切る仕切り板５０が設けられる。領域Ｅ１には、流路Ｌ３を介してエアが多く含まれたシリンダボア２５内の作動油が流入する。また、領域Ｅ２からは、流路Ｌ４を介して弁板吸込ポートＰＢ１側に作動油が供給される。領域Ｅ１に流入した作動油内のエアは、領域Ｅ１内で除かれる。領域Ｅ１内でエアの少なくなった清浄な作動油は、仕切り板５０の上部を介して領域Ｅ２内に流入する。なお、領域Ｅ２内では、作動油の流出口の上部に、水平に広がる遮蔽板５１が設けられている。この遮蔽板５１を設けることによって、沈降する塵などを含まない清浄な作動油が弁板吸込ポートＰＢ１側に供給される。
【００４６】
この実施の形態１では、残圧検出ポート４０と残圧ポート４１とを用いてシリンダボア２５内の残圧を実測しているので、精度の高い残圧制御を行うことができる。たとえば、シリンダボア２５内の残圧が高い場合、この残圧を回転アシストとして用いることができる。また、シリンダボア２５内の残圧が低い場合、この残圧を高めて回転抑制とならないようにすることができる。この残圧制御によって回転効率が高められる。一方、シリンダボア２５内の残圧は、吐出工程から吸込工程への移行時に、弁板吸込ポートＰＢ１に連通するまでにスムーズに減圧することができる。このため、シリンダボア２５が弁板吸込ポートＰＢ１に連通した際、エアレーションの発生が抑えられる。また、これによって、エアレーションによるエロージョンや騒音が小さくなる。
【００４７】
（実施の形態２）
この実施の形態２では、図７に示すように、実施の形態１に示した方向切換弁Ｖ１０が弁板７内に埋め込まれ、方向切換弁Ｖ１０は弁板７と一体化されている。方向切換弁Ｖ１０は、残圧検出ポート４０及び残圧捨てポート３０の近傍に設けられている。これによって、残圧検出ポート４０及び流路Ｌ、残圧捨てポート３０及び流路Ｌ１、及び流路Ｌ２の長さを短くすることができる。
【００４８】
［方向切換弁の構成］
図８〜図１０は、図７に示した方向切換弁Ｖ１０の構成を示すＤ−Ｄ線断面図である。図８は、残圧が小の場合のときの方向切換弁Ｖ１０の構成を示している。また、図９は、残圧が中の場合のときの方向切換弁Ｖ１０の構成を示している。さらに、図１０は、残圧が大のときの方向切換弁Ｖ１０の構成を示している。
【００４９】
図８に示すように、スプールＳＰの上部には残圧検出ポート４０が連通している。また、スプールＳＰの下部方向のエンドギャップ８には、挿入孔６１が設けられ、その内周に沿ってコイルバネ６２がはめ込まれている。スプールＳＰの先端は、コイルバネ６２の内部に挿入される。そして、スプールＳＰは、残圧検出ポート４０が保持する残圧とコイルバネ６２の押圧力とが釣り合う位置で停止する。
【００５０】
図８では、残圧が小さいので、コイルバネ６２の押圧力によってスプールＳＰが上側（残圧検出ポート４０側）に移動する。この状態で、流路Ｌ２と流路Ｌ１との間に開口が形成される。この結果、弁板吸込ポートＰＢ１からの作動油は残圧捨てポート３０側に流入する。これによって、シリンダボア２５内の残圧が弁板吸込ポートＰＢ１の圧に近づく。なお、流路Ｌ１，Ｌ３間は遮断される。
【００５１】
また、図９に示すように、残圧が中の場合には、流路Ｌ１，Ｌ２間の開口及び流路Ｌ１，Ｌ３間の開口が形成されない。この結果、流路Ｌ１，Ｌ２間及び流路Ｌ１，Ｌ３間は、遮断された状態となる。
【００５２】
さらに、図１０に示すように、残圧が大の場合には、スプールＳＰが残圧によってコイルバネ６２側に押し込まれる。このとき、流路Ｌ１，Ｌ３間に開口が形成される。この結果、シリンダボア２５内の作動油は、残圧捨てポート３０を介して作動油タンクＴに流入する。これによって、シリンダボア２５内の残圧は減少する。なお、流路Ｌ１，Ｌ２間は遮断される。
【００５３】
（実施の形態３）
この実施の形態３では、斜板３の斜板角Ｄ１、シャフト１の回転速度Ｄ２、弁板吐出ポートＰＢ２からの吐出圧Ｄ３、及び弁板吐出ポートＰＢ２の作動油温度Ｄ４と、シリンダボア２５内の残圧との関係をもとに、シリンダボア２５内の残圧を推定し、この推定した残圧によって方向切換弁Ｖ１０を制御するようにしている。なお、この実施の形態３では、残圧を推定しているので、残圧検出ポート４０及び残圧ポート４１は設けていない。
【００５４】
図１１は、本実施の形態３の構成を示す模式図である。図１１に示すように、コントローラＣＴには、上述した斜板角Ｄ１、回転速度Ｄ２、吐出圧Ｄ３、作動油温度Ｄ４が入力される。斜板角Ｄ１は、ピストン１０の往復動によるストローク量を取得することによって得られる（図２参照）。また、回転速度は、回転速度センサ１００によって取得される（図２参照）。また、吐出圧Ｄ３は、圧力センサ１０３によって得られる（図１参照）。また、作動油温度Ｄ４は、温度センサ１０４によって得られる（図１参照）。
【００５５】
コントローラＣＴは、図１２〜図１５に示した斜板角Ｄ１、回転速度Ｄ２、吐出圧Ｄ３、作動油温度Ｄ４と、残圧との関係をもとに、現在の油圧ポンプの状態での残圧を推定する。なお、図１２〜図１５では、斜板角Ｄ１、回転速度Ｄ２、吐出圧Ｄ３、作動油温度Ｄ４と、残圧との関係がそれぞれ個別に示しているが、推定される残圧は、斜板角Ｄ１、回転速度Ｄ２、吐出圧Ｄ３、作動油温度Ｄ４、及び残圧の５次元マップによって得られる。また、斜板角Ｄ１、回転速度Ｄ２、吐出圧Ｄ３、作動油温度Ｄ４の全ての検出情報を用いなくてもよく、１以上の検出情報であってもよい。
【００５６】
コントローラＣＴは、推定した残圧に対応する制御信号を、通信ラインＬＡを介して方向切換弁Ｖ１０に出力する。方向切換弁Ｖ１０は、コントローラＣＴから入力される制御信号をもとに電磁弁などを制御してスプールＳＰのストロークを制御する。
【００５７】
方向切換弁Ｖ１０は、スプールストロークが制御されることによって、実施の形態１，２と同様に、流路Ｌ１，Ｌ３間の流路及び流路Ｌ１，Ｌ２間の流路の切換と流路遮断、及び流量制御を行う。
【００５８】
例えば、コントローラＣＴは、斜板角Ｄ１が大きい場合には、図１６に示すように、残圧油量Ｌ１０が小さいことから、残圧の抜き出しに時間がかからないため、残圧が小さいと推定する。また、回転速度Ｄ２が小さい場合も、残圧の抜き出しに時間がかからないため、残圧が小さいと推定する。また、吐出圧Ｄ３が小さい場合は、その吐出圧Ｄ３の作動油がシリンダボア２５内に流入するので、残圧は小さいと推定する。また、作動油温度Ｄ４が大きい（高い）場合は、作動油の密度が低く粘性も低いため、残圧の抜き出しに時間がかからないため、残圧が小さいと推定する。
【００５９】
一方、斜板角Ｄ１が小さい場合には、図１７に示すように、残圧油量Ｌ１０が大きいことから、残圧の抜き出しに時間がかかるため、残圧が大きいと推定する。また、回転速度Ｄ２が大きい場合も、残圧の抜き出しに時間がかかるため、残圧が大きいと推定する。また、吐出圧Ｄ３が大きい場合は、その吐出圧Ｄ３の作動油がシリンダボア２５内に流入するので、残圧は大きいと推定する。また、作動油温度Ｄ４が小さい（低い）場合は、作動油の密度が高く粘性も高いため、残圧の抜き出しに時間がかかるため、残圧が大きいと推定する。
【００６０】
なお、ピストン１０の往復動によるストローク量の検出部、回転速度センサ１００、圧力センサ１０３、温度センサ１０４、及びコントローラＣＴは、シリンダボア２５内の残圧の値を推定によって求める残圧取得部として機能する。
【００６１】
また、上述した実施の形態１〜３では、油圧ポンプを一例として説明したが、これに限らず、油圧モータにも適用することができる。油圧モータの場合、高圧側が油圧ポンプの吐出側に対応し、低圧側が油圧ポンプの吸込側に対応することになる。
【００６２】
さらに、上述した実施の形態１〜３では、斜板式の油圧ポンプ・モータの一例を示したが、これに限らず、斜軸式の油圧ポンプ・モータであっても適用される。
【符号の説明】
【００６３】
１  シャフト
２  ケース
３  斜板
４  シュー
５，１０  ピストン
６  シリンダブロック
７  弁板
８  エンドキャップ
９ａ，９ｂ  ベアリング
１１  スプライン構造
１４  リング
１５  ばね
１６  可動リング
１７  ニードル
１８  押圧部材
２０，２１  軸受け
２５  シリンダボア
２５Ｐ  シリンダポート
２６  ノッチ
３０  残圧捨てポート
４０  残圧検出ポート
４１  残圧ポート
４１ａ  残圧ポート開口
５０  仕切り板
５１遮蔽板
６１  挿入孔
６２  コイルバネ
１００  回転速度センサ
１０３  圧力センサ
１０４  温度センサ
ＣＴ  コントローラ
Ｄ１  斜板角
Ｄ２  回転速度
Ｄ３  吐出圧
Ｄ４  作動油温度
Ｌ，Ｌ１〜Ｌ４  流路
ＬＡ  通信ライン
Ｐ１  吸込ポート
Ｐ２  吐出ポート
ＰＢ１  弁板吸込ポート
ＰＢ２  弁板吐出ポート
Ｓ，Ｓａ  摺動面
ＳＰ  スプール
Ｔ  作動油タンク
Ｖ１０  方向切換弁
【図１】
2016021072.tif 000003
【図２】
2016021072.tif 000004
【図３】
2016021072.tif 000005
【図４】
2016021072.tif 000006
【図５】
2016021072.tif 000007
【図６】
2016021072.tif 000008
【図７】
2016021072.tif 000009
【図８】
2016021072.tif 000010
【図９】
2016021072.tif 000011
【図１０】
2016021072.tif 000012
【図１１】
2016021072.tif 000013
【図１２】
2016021072.tif 000014
【図１３】
2016021072.tif 000015
【図１４】
2016021072.tif 000016
【図１５】
2016021072.tif 000017
【図１６】
2016021072.tif 000018
【図１７】
2016021072.tif 000019
【国際調査報告】
2016021072.tif 000020
2016021072.tif 000021
2016021072.tif 000022
2016021072.tif 000023